(57)【特許請求の範囲】
【請求項１】
センタ装置から端末側に至る伝送線に設けられ、該伝送線を流れる伝送信号の一部を加入者側端末装置に分岐させる有線放送システムの分岐装置であって、
前記伝送線を流れる伝送信号の一部を分岐する分岐回路と、
該分岐回路による分岐後の伝送信号を更に複数に分配し、該分配後の伝送信号を、夫々、複数の分岐出力端子に出力する分配回路と、
該分配回路から複数の分岐出力端子に至る複数の信号経路に夫々設けられ、リレーコイルへの通電により前記信号経路の導通・遮断状態を切り換え可能で、リレーコイルへの通電遮断時にはその切り換え状態を自己保持可能なラッチングリレーと、
手動操作によって前記分岐出力端子から前記伝送信号を出力させる出力指令を入力するための操作スイッチと、
前記センタ装置から前記伝送線に送出され、前記各分岐出力端子から伝送信号を出力するか否かを表す指令信号を受信する受信回路と、
該受信回路にて受信された前記指令信号に応じて前記各信号経路のラッチングリレーを各々駆動することにより、前記各信号経路の導通・遮断状態を前記指令信号に対応した状態に個々に制御する第１制御手段と、
前記操作スイッチから前記出力指令が入力されると、前記各信号経路のラッチングリレーを各々駆動することにより、前記各信号経路を全て導通状態に制御する第２制御手段と、
を備えたことを特徴とする有線放送システムの分岐装置。
【発明の詳細な説明】
【０００１】
【発明の属する技術分野】
本発明は、センタ装置から端末側に至る伝送線を流れる伝送信号の一部を分岐させて加入者側の端末装置に出力する有線放送システムの分岐装置に関し、詳しくは、伝送信号を端末装置に出力するか否かをセンタ装置側で切換可能な有線放送システムの分岐装置に関する。
【０００２】
【従来の技術】
従来より、ＣＡＴＶシステム等、テレビ信号等の放送信号を、同軸ケーブル等からなる一本の伝送線を介して、加入者側の端末装置に伝送する有線放送システムにおいては、伝送線から放送信号を分岐させて加入者宅に引き込むために、伝送線に、信号引込用の分岐装置（所謂タップオフ）を設けている。
【０００３】
また、この分岐装置には、加入者側の要望等により、放送信号を加入者宅に配信するか否かを簡単に切り換えることができるようにしたものが知られている。即ち、伝送線から放送信号の一部を分岐させる分岐回路と、その分岐後の放送信号を加入者の端末装置側に出力する分岐出力端子との間の信号経路に、高周波の放送信号を低損失で通過させることのできるリレー（所謂高周波リレー）を設け、このリレーを、伝送線を介してセンタ装置側から送信されてきた指令信号に従い駆動することにより、信号経路の導通・遮断状態（換言すれば端末装置へ放送信号の出力するか否か）を、センタ装置側から簡単に切り換えることができるようにした分岐装置がそれである。
【０００４】
この種の分岐装置には、伝送線に設置するときに、伝送線に設けられた他の電子機器と区別するために固有のアドレスが付与される。そして、センタ装置が、分岐装置の分岐出力端子からの放送信号の出力を切り換える際には、分岐装置固有のアドレスに、指令内容を表すコマンドデータ（以下単にコマンドという）を付与した指令信号を生成し、これを伝送用の信号に変換して伝送線に送出する。すると、分岐装置側では、伝送線を介して入力される各種指令信号の中からアドレスの一致する指令信号を選択することにより、センタ装置からの指令信号を抽出し、この指令信号に含まれるコマンドに基づきリレーを駆動することにより、分岐出力端子から放送信号を出力するか否かを切り換える。
【０００５】
従って、この種の分岐装置によれば、分岐出力端子から加入者側端末装置に放送信号を出力するか否かを、センタ装置側から簡単に切り換えることができ、その切り換えのために、作業員が分岐装置の設置場所に赴く必要はない。
一方、上記従来の分岐装置においては、分岐装置での消費電力を低減し、且つ、停電時にも、加入者側端末装置に放送信号を配信できるようにするために、分岐回路から分岐出力端子に至る信号経路を導通・遮断する高周波リレーとして、ラッチングリレーを使用していた。
【０００６】
これは、ラッチングリレーは、キープリレー或いは保持継電器とも呼ばれ、リレーコイルへの通電により可動接点の位置を切り換えることができ、切換後、リレーコイルへの通電を遮断しても可動接点の位置を自己保持できる構造となっているためである。
【０００７】
つまり、従来の分岐装置では、上記信号経路の導通・遮断状態の切り換えにラッチングリレーを使用することにより、分岐出力端子からの放送信号の出力・停止の切換に要する電力量を必要最小限に抑え、しかも、停電によりリレーコイルへの通電ができなくなっても、加入者側端末装置への放送信号の出力・停止状態を保持できるようにしているのである。
【０００８】
【発明が解決しようとする課題】
ところで、ラッチングリレーは、通常、永久磁石を使って可動接点の位置を自己保持できるようにされており、可動接点の位置は、リレーコイルへの通電により定まるものであることから、従来の分岐装置では、伝送線に設置した直後には、分岐回路から分岐出力端子に至る信号経路の導通・遮断状態が定まらず、放送信号を配信すべき加入者側端末装置に対して放送信号を配信できないことがあった。
【０００９】
そして、このように、分岐装置を伝送線に設置した直後に、加入者側端末装置に放送信号を配信できなくても、その後、センタ装置から出力切換用の指令信号が伝送されてくれば、その指令信号に従いラッチングリレーが駆動（通電）されて、上記信号経路の導通・遮断状態が定まることから、分岐装置の新設工事をしたような場合には、特に問題とはならない。
【００１０】
しかし、分岐装置の修理・交換・点検等のために、分岐装置（或いはその一部）を伝送線から一旦取り外し、その後設置し直したような場合には、加入者に対する放送信号の配信を中断してしまうことになる。
そして、このように加入者への放送信号の配信を中断した場合には、放送信号の配信を速やかに再開する必要があるが、従来の分岐装置では、分岐装置を伝送線に設置した際には、センタ装置から出力切換用の指令信号が伝送されてくるまでの間、分岐回路から分岐出力端子に至る信号経路の導通・遮断状態が確定しないことから、分岐装置の設置が完了しているにも関わらず、加入者側端末装置への放送信号の配信が長時間中断されることがあった。
【００１１】
本発明は、こうした問題に鑑みなされたものであり、伝送線を介してセンタ装置側より入力される指令信号によって、分岐出力端子から放送信号を出力するか否かを切換可能な分岐装置において、伝送線への設置直後から、加入者側端末装置に対して放送信号を速やかに配信できるようにすることを目的とする。
【００１２】
【課題を解決するための手段】
かかる目的を達成するためになされた本発明の分岐装置は、
センタ装置から端末側に至る伝送線に設けられ、該伝送線を流れる伝送信号の一部を加入者側端末装置に分岐させる有線放送システムの分岐装置であって、
前記伝送線を流れる伝送信号の一部を分岐する分岐回路と、
該分岐回路による分岐後の伝送信号を更に複数に分配し、該分配後の伝送信号を、夫々、複数の分岐出力端子に出力する分配回路と、
該分配回路から複数の分岐出力端子に至る複数の信号経路に夫々設けられ、リレーコイルへの通電により前記信号経路の導通・遮断状態を切り換え可能で、リレーコイルへの通電遮断時にはその切り換え状態を自己保持可能なラッチングリレーと、
手動操作によって前記分岐出力端子から前記伝送信号を出力させる出力指令を入力するための操作スイッチと、
前記センタ装置から前記伝送線に送出され、前記各分岐出力端子から伝送信号を出力するか否かを表す指令信号を受信する受信回路と、
該受信回路にて受信された前記指令信号に応じて前記各信号経路のラッチングリレーを各々駆動することにより、前記各信号経路の導通・遮断状態を前記指令信号に対応した状態に個々に制御する第１制御手段と、
前記操作スイッチから前記出力指令が入力されると、前記各信号経路のラッチングリレーを各々駆動することにより、前記各信号経路を全て導通状態に制御する第２制御手段と、
を備えたことを特徴とする。
【００１５】
【発明の効果】
本発明の分岐装置においては、伝送線を流れる伝送信号の一部を分岐する分岐回路に加えて、分岐回路による分岐後の伝送信号を更に複数に分配し、その分配後の伝送信号を、夫々、複数の分岐出力端子に出力する分配回路が備えられ、その分配回路から複数の分岐出力端子に至る複数の信号経路には、夫々、ラッチングリレーが設けられている。
【００１６】
そして、センタ装置から、各分岐出力端子から伝送信号を出力するか否かを表す指令信号が送信されると、受信回路が、この指令信号を、伝送線を介して受信し、第１制御回路が、その受信された指令信号に応じて、各信号経路のラッチングリレーを各々駆動することにより、各信号経路の導通・遮断状態（換言すれば、各分岐出力端子から伝送信号を出力させるか否か）を指令信号に対応した状態に個々に制御する。
【００１７】
また、本発明の分岐装置には、手動操作によって各分岐出力端子から伝送信号を出力させる出力指令を入力するための操作スイッチが設けられており、この操作スイッチから出力指令が入力されると、第２制御手段が、各信号経路のラッチングリレーを各々駆動することにより、各信号経路を全て導通状態に制御する。
【００１８】
このように、本発明の分岐装置は、伝送線から複数の加入者側端末装置に放送信号を配信できるようにしたものであり、分配回路から複数の分岐出力端子に至る各信号経路上にラッチングリレーを設け、センタ装置からの指令信号に従い、各ラッチングリレーの状態を個々に切り換えることにより、各分岐出力端子から放送信号を出力するか否かを、センタ装置側で、各分岐出力端子に対応した加入者毎に設定できるようにし、更に、分岐装置を設置した現場で、作業者等が操作スイッチを操作することにより、全ての分岐出力端子から放送信号を出力するように設定できるようにしている。
【００１９】
このため、本発明の分岐装置によれば、複数の加入者側端末装置に対して放送信号を配信するか否かをセンタ装置側で各加入者毎に設定できるだけでなく、伝送線への分岐装置の設置工事を完了した直後に操作スイッチを操作することにより、各加入者側端末装置への放送信号の配信を速やかに開始させることができるようになる。
よって、本発明の分岐装置によれば、分岐装置の修理・交換・点検等を行った際に、加入者への放送信号の配信が長時間中断してしまうことを防止でき、加入者に対する放送サービスの向上を図ることができる。
【００２０】
【発明の実施の形態】
以下に本発明の実施例を図面と共に説明する。
図１は、本発明が適用された実施例のＣＡＴＶシステムの概略構成図であり、図２は、このＣＡＴＶシステムの伝送線（具体的には同軸ケーブル）に設けられた分岐装置の内部構成を表す電気回路図である。
【００２１】
図１に示す如く、本実施例のＣＡＴＶシステムは、センタ装置２から端末側へと、伝送線４を介して所定周波数帯（例えば、５０ＭＨｚ〜７７０ＭＨｚ）の放送信号を伝送し、伝送線４上に設けられた多数の分岐装置６を介して当該システムの加入者宅に放送信号を配信するものである。
【００２２】
このため、センタ装置２には、人工衛星や地上局から送信されたテレビ放送信号を受信する受信アンテナ、ビデオテープやビデオディスクに録画されたテレビ信号を再生するビデオ機器、自主放送用のテレビカメラ等を使って、システム内での放送用の多数のテレビ信号を生成し、各テレビ信号を予め設定されたチャンネルに対応した伝送周波数の放送信号に変換して、伝送線４に送出する放送設備１０が備えられている。
【００２３】
また、センタ装置２には、伝送線４に設けられた分岐装置６等の電子機器に対して、その動作状態を制御するための指令信号を伝送するため、必要に応じて、各電子機器に予め割り当てられたアドレスと指令内容を表すコマンドとからなる送信データを生成するヘッドエンドコントローラ１２、ヘッドエンドコントローラ１２からの送信データを、例えばＦＳＫ変調によって、所定周波数帯（例えば、７０ＭＨｚ）の伝送用指令信号に変換する変調器１４、及び、変調器１４から出力された指令信号を、放送設備１０から出力された放送信号と混合して、伝送線４に送出させる混合器１６が備えられている。
【００２４】
尚、ヘッドエンドコントローラ１２は、センタ装置２に設けられたシステム管理用端末装置（コンピュータ）１８、或いは、電話回線等を介して接続される顧客管理用コンピュータ２０からの指令に従い、送信データを生成して、ＣＡＴＶシステム内の各種電子機器に、その動作状態を制御するための指令信号を出力するものであり、通信機能を有するコンピュータにて構成されている。
【００２５】
一方、伝送線４には、伝送線４上の分岐装置６や図示しない増幅器等に動作用の電力を供給する電源装置２２が接続されている。この電源装置２２は、商用電源から電源供給を受けて動作し、伝送線４に対して、例えば、周波数６０Ｈｚ、電圧４５Ｖ〜９０Ｖ程度の交流電力信号を重畳するものであり、電力供給対象となる電子機器の電力消費量等を考慮して、複数の電子機器に対して１台の割で伝送線４上に分散して設けられる。
【００２６】
次に、分岐装置６は、センタ装置２に直接接続される幹線、幹線に設けられた幹線分岐増幅器や分岐器等を介して幹線から分岐した分岐線、或いは、この分岐線から更に分岐した枝線等、ＣＡＴＶシステムにおける任意の伝送線４に設けられて、その付近の加入者宅に放送信号を配信するための所謂タップオフであり、１又は複数の分岐出力端子を備える（図１では４個の分岐出力端子を備えたものと２個の分岐出力端子を備えたものを表す）。
【００２７】
図２に示す如く、分岐装置６は、伝送線４のセンタ装置２側に接続される入力端子Ｔinと、伝送線４の端末側に接続される出力端子Ｔout と、複数（図では４個）の分岐出力端子Ｔ１，Ｔ２，Ｔ３，Ｔ４とを備える。そして、入力端子Ｔinと出力端子Ｔout との間には、電源装置２２から伝送線４に重畳された低周波の交流電力信号を通過させ、センタ装置２から伝送線４に送出された放送信号及び指令信号（以下、これらを総称して高周波伝送信号ともいう。）の通過を阻止するチョークコイルＬ１が接続され、更に、チョークコイルＬ１の両端（換言すれば入出力端子Ｔin，Ｔout ）には、夫々、低周波の交流電力信号を遮断し、高周波伝送信号を通過させるコンデンサＣ１，Ｃ２の一端が接続されている。また、コンデンサＣ１，Ｃ２の他端は、これらを直接接続するか、或いは分岐回路３０を介して接続するかを切り換える切換スイッチ３２に接続されている。
【００２８】
尚、分岐回路３０は、コンデンサＣ１，Ｃ２の他端を接続することにより、入力端子Ｔinから入力された高周波伝送信号を出力端子Ｔout 側に出力させると共に、その高周波伝送信号の一部を分岐出力端子Ｔ１〜Ｔ４側に分岐させるためのものである。
【００２９】
また、チョークコイルＬ１、コンデンサＣ１，Ｃ２及び切換スイッチ３２は、入力端子Ｔin及び出力端子Ｔout を構成する伝送線（同軸ケーブル）接続用の接栓と共に分岐装置６の筐体に直接組み付けられる第１基板Ｐ１に設けられ、分岐回路３０は、後述の電源回路等と共に、第１基板Ｐ１に対して着脱自在に組み付けられる第２基板Ｐ２に設けられる。このため、例えば、切換スイッチ３２を分岐回路３０とは反対側に切り換え、第２基板Ｐ２を第１基板Ｐ１から電気的に切り離せば、当該分岐装置６は、単に、交流電力信号及び高周波伝送信号を、チョークコイルＬ１及びコンデンサＣ１，Ｃ２を介して通過させるバイパス回路となり、伝送線４を流れる伝送信号に対して何ら影響を与えることはない。
【００３０】
次に、分岐回路３０にて分岐された高周波伝送信号は、分配回路（本実施例では４分配回路）３４に入力され、分配回路３４にて、分岐出力端子Ｔ１〜Ｔ４の数に対応した分配数で分配される。そして、その分配後の高周波伝送信号は、夫々、高周波伝送信号のみを通過させ、低周波の交流電力信号の通過を阻止するコンデンサＣ３，Ｃ４，Ｃ５，Ｃ６を介して、各分岐出力端子Ｔ１〜Ｔ４に伝達され、各分岐出力端子Ｔ１〜Ｔ４から、これに接続された加入者側端末装置に出力される。
【００３１】
また、分配回路３４から各分岐出力端子Ｔ１〜Ｔ４に至る信号経路には、夫々、その信号経路を導通・遮断するためのラッチングリレー（以下、単にリレーという）４１，４２，４３，４４が設けられ、更に、分岐回路３０から分配回路３４に至る高周波伝送信号の信号経路には、この経路を通過する高周波伝送信号の一部を分岐させる第２の分岐回路３６が設けられている。そして、この分岐回路３６にて分岐された高周波伝送信号は、受信回路５２に入力される。
【００３２】
受信回路５２は、分岐回路３６から入力される高周波伝送信号の中から指令信号を選択的に受信し、ヘッドエンドコントローラ１２が出力した送信データを復元するものであり、その復元されたデータ（受信データ）は、制御回路５４に入力される。
【００３３】
制御回路５４は、ＣＰＵ，ＲＯＭ，ＲＡＭ等からなる１チップマイクロコンピュータを中心に構成されている。そして、制御回路５４は、受信回路５２から受信データが入力されると、その受信データに基づき、駆動回路５６を介して、リレー４１〜４４を駆動し、各分岐出力端子Ｔ１〜Ｔ４から高周波伝送信号を出力させるか否かを切り換える第１制御手段としての処理を実行する。
【００３４】
また、制御回路５４には、外部操作によってＯＮ状態となる常開型の操作スイッチ６０が接続されている。この操作スイッチ６０は、ＯＮ状態になることにより、制御回路５４に対して、各分岐出力端子Ｔ１〜Ｔ４から高周波伝送信号を出力させる出力指令を入力するためのものであり、制御回路５４は、この操作スイッチ６０がＯＮ状態となると、駆動回路５６を介して、リレー４１〜４４を駆動することにより、各分岐出力端子Ｔ１〜Ｔ４から高周波伝送信号を出力させる、第２制御手段としての処理を実行する。
【００３５】
次に、分岐装置６には、出力端子Ｔout にチョークコイルＬ２を介して接続された電源回路５８が内蔵されている。チョークコイルＬ２は、伝送線４を流れる交流電力信号の一部を電源回路５８側に取り込み、高周波伝送信号が電源回路５８側に流れるのを阻止するためのものであり、電源回路５８は、このチョークコイルＬ２を介して入力された交流電力信号から、リレー４１〜４４のＯＮ・ＯＦＦ状態切換用の電源電圧Ｖ１（例えば直流２４Ｖ）と、受信回路５２及び制御回路５４を定電圧駆動するための電源電圧Ｖ１（例えば直流５Ｖ）とを生成する。
【００３６】
即ち、電源回路５８は、チョークコイルＬ２を介して入力される交流電力信号を整流・平滑化し、その整流・平滑化後の電力信号から、３端子レギュレータ等を用いて、上記２種類の電源電圧Ｖ１，Ｖ２を生成し、駆動回路５６にリレー切換用の電源電圧Ｖ１を供給すると共に、受信回路５２及び制御回路５４に動作用の電源電圧Ｖ２を供給する。
【００３７】
尚、分配回路３４，リレー４１〜４４，コンデンサＣ３〜Ｃ６，及び分岐出力端子Ｔ１〜Ｔ４は、分岐回路３０が設けられる第２基板Ｐ２に対して、ねじ等を介して一体的に組み付けられる第３基板Ｐ３に設けられ、第２の分岐回路３６，受信回路５２，制御回路５４，駆動回路５６，電源回路５８，及び操作スイッチ６０は、上述の分岐回路３０と共に第２基板Ｐ２に設けられる。
【００３８】
次に、図３は、リレー４１〜４４の一つと、この一つのリレー４１〜４４に対応した駆動回路５６の内部構成を表す電気回路図である。
図３に示す如く、各リレー４１〜４４は、分配回路３４から入力された高周波伝送信号を分岐出力端子Ｔ１〜Ｔ４側に通過させるか否かを切り換えるための可動接点ｔｏと、この可動接点ｔｏを接点ｔａ側に切り換え、高周波伝送信号を分岐出力端子Ｔ１〜Ｔ４側に通過させるリレーコイルＬａと、可動接点ｔｏを接点ｔｂ側に切り換え、高周波伝送信号の分岐出力端子Ｔ１〜Ｔ４側への通過を遮断させるリレーコイルＬｂと、各リレーコイルＬａ，Ｌｂへの通電により設定される可動接点ｔｏの位置（導通・遮断位置）を、通電停止後も保持するための図示しない永久磁石とから構成された周知の保持継電器である。
【００３９】
駆動回路５６は、各リレー４１〜４４を構成する一対のリレーコイルＬａ，Ｌｂの一端に、電源回路５８より供給された電源電圧Ｖ１が印加し、リレーコイルＬａ，Ｌｂの他端を、制御回路５４からの制御信号に従いグランドラインに接地することにより、リレーコイルＬａ，Ｌｂを通電して、可動接点ｔｏの位置を切り換えるものであり、各リレーコイルＬａ，Ｌｂへの通電（換言すれば接地）のために、各リレーコイルＬａ，Ｌｂの他端にコレクタが接続され、エミッタがグランドラインに接地されたＮＰＮトランジスタＴｒａ，Ｔｒｂを備える。尚、グランドラインは、伝送線４を構成する同軸ケーブルの芯線（内導体）周囲に配置される外導体と同電位であり、分岐装置６内での各信号の経路は、全て、同軸ケーブルの芯線からのものである。
【００４０】
そして、リレー４１〜４４を導通状態にする際には、制御回路５４から、リレーコイルＬａ側のＮＰＮトランジスタＴｒａのベースに、Highレベルの制御信号Ｓonが入力される。この結果、ＮＰＮトランジスタＴｒａがＯＮ状態となって、リレーコイルＬａに電流が流れ、可動接点ｔｏが接点ｔａ側に位置決めされる。
【００４１】
また、リレー４１〜４４を遮断状態にする際には、制御回路５４から、リレーコイルＬｂ側のＮＰＮトランジスタＴｒｂのベースに、Highレベルの制御信号Ｓoff が入力される。この結果、ＮＰＮトランジスタＴｒｂがon状態となって、リレーコイルＬｂに電流が流れ、可動接点ｔｏが接点ｔｂ側に位置決めされる。
【００４２】
そして、こうしたリレーコイルＬａ又はＬｂへの通電により、可動接点ｔｏが接点ｔａ又はｔｂ側に切り換えられると、その後、通電を遮断しても、可動接点ｔｏは図示しない永久磁石からの磁力を受けて、その位置に保持される。
尚、各分岐出力端子Ｔ１〜Ｔ４への高周波伝送信号の信号経路を遮断するために、可動接点ｔｏを接点ｔｂ側に切り換えた際、その信号経路が開放状態となって、その開放端から高周波伝送信号が分配回路３４側に反射することのないよう、接点ｔｂは、当該ＣＡＴＶシステムの信号伝送系（換言すれば伝送線４）のインピーダンス（一般に５０Ω又は７５Ω）に対応した抵抗値を有する終端抵抗Ｒｏを介して、グランドラインに接地されている。
【００４３】
次に、図４は、制御回路５４において、受信回路５２から入力される指令信号としての受信データ、或いは、操作スイッチ６０を介して入力される出力指令に従い、各分岐出力端子Ｔ１〜Ｔ４からの高周波伝送信号の出力・停止状態を設定するために実行される出力切換処理を表すフローチャートである。
【００４４】
この処理は、当該分岐装置６を伝送線４に設置し、制御回路５４が電源回路５８から電源供給を受けて動作可能状態となってから、制御回路５４において繰り返し実行される処理である。そして、図４に示す如く、この処理が開始されると、まずＳ１１０（Ｓはステップを表す）にて、受信回路５２から受信データが入力されたか否かを判断し、受信データが入力された場合には、続くＳ１２０にて、受信データの解読を行う。
【００４５】
この受信データの解読は、受信データに付与されたアドレスが当該分岐装置６に予め設定されたアドレスと一致し、今回受信回路５２が受信した指令信号は当該分岐装置６に対するものであるかどうかを判定し、アドレスが一致する場合には、このアドレスに付与されたコマンドから、各分岐出力端子Ｔ１〜Ｔ４からの高周波伝送信号の出力・停止の切り換え指令を解読する、といった手順で実行される。
【００４６】
そして、続くＳ１３０では、その解読結果に従い、駆動回路５６に制御信号を出力することにより、各リレー４１〜４４のリレーコイルＬａ又はＬｂを順に通電し、各リレー４１〜４４による信号経路の導通・遮断状態を切り換える、第１制御手段としての処理を実行した後、再度Ｓ１１０に移行する。尚、当然のことではあるが、受信データが当該分岐装置６に対する指令信号でない場合には、Ｓ１３０では各リレー４１〜４４のリレーコイルＬａ又はＬｂへの通電は行わず、そのままＳ１１０に移行する。
【００４７】
一方、Ｓ１１０にて、受信回路５２から受信データが入力されていないと判断されると、Ｓ１４０に移行して、今度は操作スイッチ６０がＯＮ状態となっているか否かを判断し、操作スイッチ６０がＯＮ状態になっていなければ、再度Ｓ１１０に移行する。
【００４８】
また、Ｓ１４０にて、操作スイッチ６０がＯＮ状態になっていると判断されると、Ｓ１５０に移行して、駆動回路５６内の各リレー４１〜４４のリレーコイルＬａ側ＮＰＮトランジスタＴｒａにHighレベルの制御信号Ｓonを出力することにより、各リレー４１〜４４のリレーコイルＬａを、可動接点ｔｏを変位させるのに要する一定時間だけ通電し、各リレー４１〜４４による信号経路の導通・遮断状態を導通側に切り換える、第２制御手段としての処理を実行した後、再度Ｓ１１０に移行する。
【００４９】
尚、Ｓ１３０或いはＳ１５０にて、各リレー４１〜４４の導通・遮断状態を切り換える際には、リレーコイルＬａ又はＬｂへの通電を各リレー４１〜４４毎に順に行い、複数のリレーコイルＬａ又はＬｂへの通電を同時に行わない。これは、複数のリレーコイルＬａ又はＬｂへの通電を同時に行うことによって、駆動回路５６側での電力消費量が一時的に増大し、電源回路５８や、電源装置２２の負担が急増して、その動作に悪影響を与えるのを防止するためである。
【００５０】
以上説明したように、本実施例の分岐装置６には、全ての分岐出力端子Ｔ１〜Ｔ４からの高周波伝送信号の出力指令を手動操作によって入力するための操作スイッチ６０が設けられ、この操作スイッチ６０を操作してＯＮ状態にすると、制御回路５４が、全てのリレー４１〜４４を導通状態に制御して、分岐出力端子Ｔ１〜Ｔ４から高周波伝送信号を出力させるように構成されている。
【００５１】
このため、本実施例の分岐装置６によれば、センタ装置２から出力される指令信号（換言すれば、受信回路５２が受信した受信データ）によって、各分岐出力端子Ｔ１〜Ｔ４から加入者側端末装置へ、放送信号（本実施例では放送信号とセンタ装置２側からの指令信号との高周波伝送信号）を配信するか否かを設定できるだけでなく、操作スイッチ６０を操作することにより、分岐装置６を設置した現場で、加入者側端末装置へ放送信号を強制的に配信させるようにすることができる。
【００５２】
よって、本発明によれば、伝送線４への分岐装置６の設置工事を完了した直後に、操作スイッチ６０を操作するようにすれば、加入者側端末装置への放送信号の配信を速やかに開始させることが可能になり、例えば、分岐装置６の修理・交換・点検等を行った際に、加入者への放送信号の配信が長時間中断してしまうといったことを防止でき、延いては、加入者に対する放送サービスの向上を図ることができる。
【００５３】
以上、本発明の一実施例について説明したが、本発明は、上記実施例に限定されるものではなく、種々の態様を採ることができる。
例えば、上記実施例では、分配回路３４を内蔵することにより、複数の分岐出力端子Ｔ１〜Ｔ４から個々に放送信号を出力できるようにした分岐装置を例にとり説明したが、本発明は、分配回路３４を内蔵せず、分岐回路３０からの分岐出力（放送信号）をそのまま一つの分岐出力端子から出力するようにした分岐装置であっても、上記実施例と同様に適用できる。
【００５４】
また、上記実施例では、分岐装置６を構成する各部を３枚の基板Ｐ１，Ｐ２，Ｐ３に組み込むことによって、分配回路３４から分岐出力端子Ｔ１〜Ｔ４に至る放送信号の分岐出力系が組み込まれた第３基板Ｐ３と、分岐回路３０，３６、受信回路５２，制御回路５４，駆動回路５６，電源回路５８，操作スイッチ６０からなる制御系が組み込まれた第２基板Ｐ２とを、筐体側の第１基板Ｐ１から取り外して、簡単に交換できるようにした分岐装置について説明したが、本発明は、全ての構成要素を１枚の基板に組み付けたものであっても、或いは各回路を２枚の基板に組み付けたものであっても、上記実施例と同様に適用できる。
【図面の簡単な説明】
【図１】  実施例のＣＡＴＶシステムの構成を表す概略構成図である。
【図２】  分岐装置の構成を表す電気回路図である。
【図３】  リレー（ラッチングリレー）とこれを通電駆動する駆動回路の構成を表す電気回路図である。
【図４】  制御回路にて実行される出力切換処理を表すフローチャートである。
【符号の説明】
２…センタ装置、４…伝送線、６…分岐装置、２２…電源装置、３０，３６…分岐回路、３４…分配回路、４１〜４４…（ラッチングリレー）、ｔｏ…可動接点、ｔａ，ｔｂ…接点、Ｌａ，Ｌｂ…リレーコイル、Ｔ１〜Ｔ４…分岐出力端子、５２…受信回路、５４…制御回路、５６…駆動回路、Ｔｒａ，Ｔｒｂ…ＮＰＮトランジスタ、Ｒｏ…終端抵抗、５８…電源回路、６０…操作スイッチ。
【図１】
0004198800.tif 000002
【図２】
0004198800.tif 000003
【図３】
0004198800.tif 000004
【図４】
0004198800.tif 000005